(57)【特許請求の範囲】
【請求項１】
エレベータに用いられる釣合おもりであって、
複数個のおもり片と、
前記おもり片が搭載されるおもり保持手段と、
前記おもり保持手段に着脱自在に取り付けられる複数枚のカバーと、
前記カバーを隣接する前記カバーと重ならない方向へ移動可能に保持するカバー保持手段と、
を備え、
前記カバー保持手段は、前記カバーの内側部位であって前記方向に沿ったカバー周縁部から離れた部位に配置されたカバー側ガイド取付用品と、前記カバー側ガイド取付用品を前記方向へ案内するガイドと、を有し、
前記ガイドは、小ガイドと中ガイドと大ガイドによる３段構成とされ、前記小ガイドは前記カバー側ガイド取付用品に固定され、前記大ガイドは前記おもり保持手段に上下方向に沿って設けられたカバー取付用品に固定されていることを特徴とする釣合いおもり。
【請求項２】
前記カバー側ガイド取付用品がＬ字状部材で構成されていて、
前記Ｌ字状部材のうち前記カバーの内側から折れ曲がって前記おもり保持手段側に張り出している平板部が前記小ガイドに固定されていることを特徴とする請求項１記載の釣合おもり。
【請求項３】
前記カバーが、鉄鋼材料よりも密度が小さい難燃性材料からなることを特徴とする請求項１または２記載の釣合おもり。
【請求項４】
請求項１〜３のいずれか１項記載の釣合おもりを備えたことを特徴とするエレベータ。
【発明の詳細な説明】
【技術分野】
【０００１】
本発明の実施形態は、昇降路内に設けられる釣合おもり、および、それを備えたエレベータに関する。
【背景技術】
【０００２】
展望用エレベータのように、釣合おもりが乗りかご内または昇降路外より見えるエレベータでは、幾層も重ねられたおもり、巻上ロープや釣合ロープなどのロープ取付部、および、巻上ロープ用のシーブやレールガイドといった回転部の保守作業部、が美観を損なうため、見栄えを向上させるために釣合おもりにカバーを取り付けることが多い。また、風音・風圧対策として釣合おもりにカバーを取り付けることも有り得る。
【０００３】
巻上ロープ及び釣合ロープなどのロープは端部にねじが螺刻されたシャックルロッドを介して釣合おもりに連結されている。ロープは経年的な伸びにより張力が緩むため、シャックルロッドのねじ側のナットにより所定の張力を与えるように定期的に調整する必要がある。また、複数のロープ間で長さに誤差があると各ロープの張力にアンバランスが生じるため、均一な張力となるようにナットで調整する必要がある。釣合おもり側にシーブを備えている構造のものには、シーブ回転軸へのグリスアップやロープ溝の磨耗の確認を、また、レールガイドはガイドシューの磨耗の確認なども定期的に点検する必要がある。これらの保守（調整や点検など）では、保守員は、乗りかご上で、ちょうど昇降路中間位置付近の釣合おもりとかごとが同じ高さ位置となるように配置し、カバーを開いて行う。
【０００４】
カバーを開く形態としては、カバーのロープヒッチ部分に四角形状の穴を設け、これを覆うロープヒッチプレートを固定ねじで取り付けたものが知られている。また、その改良技術として、固定ねじを取り外さず四角形状の穴を覆うロープヒッチプレートを可動扉とすることが提案されている（例えば特許文献１参照）。また、別の改良技術として、カバーにだるま穴やスライド用切欠穴を設けたり、カバーを隣接するカバーにヒンジを介して固定することによって、この隣接するカバーと重なる方向にカバーがスライド移動や回動移動する構成にする提案もなされている（例えば、特許文献２参照）。
【先行技術文献】
【特許文献】
【０００５】
【特許文献１】特開2006-151603
【特許文献２】特開2010-195517
【発明の概要】
【発明が解決しようとする課題】
【０００６】
しかし、特許文献１では、各部点検箇所に対して分割した扉を設けるので、点検箇所に対する開閉作業の手間が多くなってしまう。つまり、釣合おもり側の巻上ロープ用のシーブの有無に関わらず、巻上ロープと釣合ロープによる２箇所のロープヒッチ部と、４箇所のレールガイドとの合計である少なくとも６箇所が点検箇所であり、それぞれの箇所に対して分割した扉を設けると開閉作業に時間がかかってしまう。
【０００７】
また、特許文献２では、複数枚取り付けられるカバーが隣のカバーと重なる方向（すなわち下方向）へスライド移動や回動移動する構成にしている。従って、最上部のカバーを開く際に上から２番目のカバーと重なるように移動させて開こうとしたとき、かご上で点検する点検者は自分の足元の方向へカバーを引き下げる動作を行う。従って、最上部のカバーを収納できるように乗りかごと釣合おもりとの相互位置を調整するように配置することが、主に作業上および安全上の観点で要求される。なお、２番目のカバーと重なるように開こうとしたときに限らず３番目以下のカバーと重なる方向に移動させて開こうとしたときでも同様である。
【０００８】
本発明は、このような課題を解決するためになされたものであり、乗りかご上で釣合おもりに対して保守員が作業するにあたり、保守員の作業性を向上させ、かつ、乗りかごと釣合おもりとの配置に影響されない釣合おもりおよびそれを備えたエレベータを提供することを課題とする。
【課題を解決するための手段】
【０００９】
実施形態に係る釣合おもりは、エレベータに用いられる釣合おもりであって、複数個のおもり片と、おもり片が搭載されるおもり保持手段と、おもり保持手段に着脱自在に取り付けられる複数枚のカバーと、カバーを隣接するカバーと重ならない方向へ移動可能に保持するカバー保持手段と、を備える。
【図面の簡単な説明】
【００１０】
【図１】第１実施形態のエレベータ昇降路の全体構成図。
【図２】第１実施形態の釣合おもりの斜視図。
【図３】第１実施形態の釣合おもりの斜視図。
【図４】第１実施形態の釣合おもりのカバーの背面斜視図。
【図５】第１実施形態の釣合おもりのガイドの斜視図。
【図６】第１実施形態で釣合おもりの保守作業時の状態を示す斜視図。
【図７】第１実施形態の安全対策治具を示す斜視図。
【図８】第１実施形態の安全対策治具動作時の斜視図。
【図９】第２実施形態の釣合おもりのカバーの背面斜視図。
【図１０】第２実施形態で釣合おもりの保守作業時の状態を示す斜視図。
【図１１】第３実施形態の釣合おもりのカバーの動作を説明する側面図。
【図１２】第４実施形態で釣合おもりの保守作業時の状態を示す斜視図。
【発明を実施するための形態】
【００１１】
以下、に、添付図面を参照して、実施形態に係る釣合おもりおよびそれを備えたエレベータついて説明する。なお、第２実施形態以下では、既に説明したものと同様のものには同じ符号を付してその説明を省略する。
【００１２】
［第１実施形態］
まず、第１実施形態について説明する。図１は、本実施形態のエレベータ昇降路の全体構成図である。エレベータ１０の昇降路１１には、巻上ロープ１４を介して、乗りかご１２と釣合おもり１３とが吊るされている。また、乗りかご１２と釣合おもり１３の下方には、釣合ロープ１５が吊下げられている。
【００１３】
図２、図３は、いずれも本実施形態の釣合おもりの斜視図であり、図３では後述のカバーを省いて描いている。釣合おもり１３は、複数個のおもり片１３ｆと、おもり片１３ｆが搭載されるおもり保持手段１３ｈと、おもり保持手段１３ｈに着脱自在に取り付けられる複数枚のカバー１６と、おもり保持手段１３ｈに取り付けられ、カバー１６を隣接するカバー１６と重ならない方向へ移動可能に保持するカバー保持手段１３ｋ（図４参照）と、を備えている。
【００１４】
本実施形態では、おもり保持手段１３ｈには、おもり片１３ｆが搭載されるおもり枠１３ａが設けられており、カバー保持手段１３ｋには、カバー１６を案内するガイド１６ｂが設けられている。図４はカバーの背面斜視図であり、本実施形態ではガイド１６ｂは上下方向に直線状である直動ガイドである。
【００１５】
本実施形態では、ガイド１６ｂによってカバー１６は隣接するカバー１６と重ならない方向へスライド移動可能になっている。ここで重ならない方向とは、隣接するカバー側でない方向のことである。本実施形態では、カバー１６が取り付けられている状態では、隣接するカバー１６が下方側に位置し、カバー１６のスライド移動方向が上方側となっている。
【００１６】
また、釣合おもり１３は釣合おもりシーブ１３ｃを有する。本実施形態では、おもり枠１３ａにレールガイド１３ｂが４箇所付いており、おもり枠１３ａの上部にこの釣合おもりシーブ１３ｃが付いている。
【００１７】
また、おもり枠１３ａには釣合ロープヒッチ１３ｄが付いている。釣合ロープヒッチ１３ｄには釣合ロープ端部のシャックルロッド１３ｅが取り付けてあり、釣合ロープヒッチ３にて固定される。そして、おもり枠１３ａには、おもり片１３ｆが複数枚積載されており、更に、おもり枠１３ａにはカバー取付用品１３ｇが上下方向に沿って所定位置に複数本取り付けられている。
【００１８】
本実施形態の変形例として、釣合おもりシーブ１３ｃの代わりに巻上ロープヒッチが取り付けられているものや、レールガイドが４箇所に限らない場合も想定できる。
【００１９】
図２では、釣合おもり１３に取り付けられるカバー１６が、片面側で６枚、両面側で合計１２枚としたときを示す。本実施形態の変形例として、カバー１６が釣合おもり１３の片側のみの場合も本実施形態の範囲となる。カバー１６には、カバー側ガイド取付用品１６ａが付けられており、ここへガイド１６ｂが取り付けられる構成になっている。
【００２０】
図５は、ガイド１６ｂの斜視図である。本実施形態では、ガイド１６ｂは、小ガイド１６ｃと中ガイド１６ｄと大ガイド１６ｅによる３段構成とされている。小ガイド１６ｃはカバー側ガイド取付用品１６ａに固定され、大ガイド１６ｅはカバー取付用品１３ｇに固定される構成になっている。ガイド１６ｂについては、本実施形態以外にもガイドとしての機能を有するものであれば良く、一端をおもり枠１３ａ側に、他端をカバー１６側に取り付け、カバー１６を下方以外の直線方向に移動可能とするものであればよい。
【００２１】
次に、本実施形態の作用、効果について図６〜図８を用いて説明する。図６は、本実施形態で釣合おもりの保守作業時の状態を示す斜視図である。保守員は、釣合おもり１３の保守作業を実施するに際して、点検箇所のカバー１６を隣接するカバー１６と重ならない方向、すなわち、図６で示す鉛直上方向へ持ち上げることでスライド移動させる。ここで、本実施形態では、最上部のカバー１６がスライドする動作としたが、例えば最下部のカバーを隣接するカバーと重ならない方向へスライドさせる形態でも良いし、複数枚あるカバーのうち、最上部のカバーのスライド後に、２番目のカバーが３番目のカバーと反対の方向、つまり上方向へスライドすることも、本実施形態の範囲となる。
【００２２】
図７は、本実施形態の安全対策治具を示す斜視図である。図８は、本実施形態の安全対策治具動作時の斜視図である。保守員が点検のためにカバー１６を上方へスライド移動した際、例えば、安全対策冶具７をカバー取付用品１３ｇ に予め備えておいて、カバー１６のスライド中には安全装置治具１７によってカバー１６が落下して来ない構造とする。本実施形態は、安全装置治具１７のような機械的な構成を挙げたが、それ以外であっても、かご上に光センサーの発信装置を備えておき、釣合おもり１３にはこの発信装置からの信号を受信する受信機を備えておくことで、電気的な安全装置とすることもできる。
【００２３】
本実施形態では、カバー１６の可動方向が上下方向（鉛直方向）であり、しかも、最上部のカバー１６を開いた状態で上から２番目のカバー１６を上方へスライド移動させて開くことができ、３番目以下のカバー１６も同様に開くことができる。従って、乗りかご１２上で釣合おもり１３に対して保守員が作業するにあたり、保守員の作業性が向上し、かつ、乗りかご１２と釣合おもり１３との配置に影響されない。
【００２４】
［第２実施形態］
次に、第２実施形態について説明する。図９は、本実施形態の釣合おもりを構成するカバーの背面斜視図である。本実施形態では、第１実施形態に比べ、カバー側ガイド取付用品１６ａに代えて蝶番２８の一方がカバー１６の内面側に取り付けられており、蝶番２８の他方はカバー取付用品１３ｇに取り付けられている。
【００２５】
図１０は、本実施形態で釣合おもりの保守作業時の状態を示す斜視図である。保守員は、釣合おもり２３の保守作業を実施するに際して、点検箇所のカバー１６を隣接するカバー１６と重ならない方向へ回転させて、すなわち回動中心がカバー上端部に配置され、下端部から上方へ回転させるようにカバー１６を開いてカバー１６を持ち上げる。回転角度は１８０°まで可能とし、１８０°回転したときに蝶番２８が固定される機構、すなわち蝶番２８の回転が停止してその回転角度が維持される機構とする。ここで、本実施形態では、最上部のカバー１６が回転する動作としたが、例えば最下部のカバー１６が隣接するカバー１６と重ならない方向へ回転させる方式にしても良いし、複数枚あるカバー１６のうち、最上部のカバー１６を１８０°回転させた後に、２番目のカバー１６が３番目のカバー１６と重ならない方向、つまり最上部のカバー１６の方向へ１８０°回転することも、本実施形態の範囲となる。また、１８０°よりも小さい角度（例えば１２０°）まで回転したときに蝶番２８が固定される機構としてもよい。
【００２６】
保守員が点検のために図１０に示すようにカバー１６を回転させるに際しての安全対策は、第１実施形態と同様（安全対策冶具７の配置）である。
【００２７】
本実施形態により、カバー１６の回転方向が、隣接するカバー１６と重ならない方向で、かつ、回転角度が１８０°となる。従って、乗りかご１２上で釣合おもり２３に対して保守員が作業するにあたり、保守員の作業性が向上し、かつ、乗りかご１２と釣合おもり２３との配置に影響されない。
【００２８】
［第３実施形態］
次に、第３実施形態について説明する。図１１は、本実施形態の釣合おもりのカバーの動作を説明する側面図である。本実施形態では、第２実施形態で説明した蝶番２８に代えてリンク機構３８が設けられている。
【００２９】
リンク機構３８は、一端でカバー１６を回動可能に保持するアーム３４と、アーム３４の他端を回動可能に保持するアーム支持部材３６と、を備えている。アーム支持部材３６はカバー取付用品１３ｇに取り付けられている。更に、リンク機構３８はシリンダ付きアーム３７を備えている。このシリンダ付きアーム３７は、アーム３４の途中部分（アーム３４の一端と他端との間の部分）に回動可能に連結するとともにアーム支持部材３６に回動可能に連結している。
【００３０】
保守員は、釣合おもりの保守作業を実施するに際して、点検箇所のカバー１６を隣接するカバー１６と重ならない方向、すなわち、上方向へ移動させる。ここで、本実施形態では、最上部のカバー１６が移動することとしたが、例えば最下部のカバー１６が隣接するカバー１６と重ならない方向へ移動するようにしても良いし、複数枚あるカバー１６のうち、最上部のカバー１６を移動させた後に、２番目のカバー１６が３番目のカバー１６と重ならない方向、つまり最上部のカバー１６の方向へ移動することも、本実施形態の範囲となる。
【００３１】
本実施形態により、カバー１６の移動方向が、隣接するカバー１６と重ならない方向であるため、乗りかご上で釣合おもりに対して保守員が作業するにあたり、保守員の作業性が向上し、かつ、乗りかご１２と釣合おもりとの配置に影響されない。
【００３２】
［第４実施形態］
次に、第４実施形態について説明する。図１２は、本実施形態で釣合おもりの保守作業時の状態を示す斜視図である。本実施形態では、第２実施形態で説明した蝶番２８に代えて、蝶番４０と付勢手段４２とを備えている。蝶番４０は、第２実施形態で説明した蝶番２８とは異なり、規定の回転角度によって固定される機構ではない。
【００３３】
本実施形態では、付勢手段４２はシリンダ付きアーム４８で構成されている。シリンダ付きアーム４８は、シリンダ部４６と、シリンダ部４６からばね部材（図示せず）によって延び出す方向に付勢されているアーム４４と、を有する。シリンダ付きアーム４８の一端はカバー１６に取り付けられており、シリンダ付きアーム４８の他端はカバー取付用品１３ｇに取り付けられている。本実施形態では、保守員がカバー１６を開いてカバー１６から手を離した状態では、シリンダ付きアーム４８によってカバー１６の回転角度がその状態で維持されるようになっている。
【００３４】
本実施形態では、第２実施形態で奏される効果に加え、付勢部品４８がカバー１６の移動動作を補助するので保守員の作業負荷が更に軽減されるという効果を奏する。また、蝶番４０の構成が簡素である。
【００３５】
なお、本実施形態では第２実施形態を変形した例で説明したが、第１実施形態や第３実施形態でも付勢部品４８を適用することは可能である。付勢部品４８の構成に関しては、流通する既存製品で対応可能である。また、ばね部材のみならず、空気圧や油圧などを用いて支える方式にすることも可能である。
【００３６】
［第５実施形態］
次に、第５実施形態について説明する。本実施形態では、カバー１６の材質を、鉄鋼材料よりも密度が小さい難燃性材料を用いる。具体的に鋼材料の例として挙げられる代表的な素材としては、S45CやSS400がある。これらの素材の密度は約7.8〜7.9 /cm3である。これに対し、密度が小さい難燃性材料の例として挙げられる代表的な素材としては、アルミニウム合金がある。中でも代表として挙げるならば、Ａｌ−Ｍｇ系非熱処理型合金のＡ５０５２がある。Ａ５０５２の特徴としては、密度が2.68g/cm3であり、鉄鋼材料の約３分の１となる。Ａ５０５２ＨＡマグネシウムを添加して強度と耐食性を向上させた合金であり、アルミニウム合金の中でも中程度の強度を有し、溶接性も良い。
【００３７】
本実施形態では、第１〜第４実施形態で奏される効果に加え、カバー１６の材質を、鉄鋼材料よりも密度が小さい難燃性材料を適用することにより保守員の作業負荷が更に軽減されるという効果を奏する。
【００３８】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３９】
１０  エレベータ
１３  釣合おもり
１３ｆ  おもり片
１３ｈ  おもり保持手段
１３ｋ  カバー保持手段
１６  カバー
１６ｂ  ガイド
２３  釣合おもり
２８  蝶番
３４  アーム
４０  蝶番
４２  付勢手段
【図１】
0005483759.tif 000002
【図２】
0005483759.tif 000003
【図３】
0005483759.tif 000004
【図４】
0005483759.tif 000005
【図５】
0005483759.tif 000006
【図６】
0005483759.tif 000007
【図７】
0005483759.tif 000008
【図８】
0005483759.tif 000009
【図９】
0005483759.tif 000010
【図１０】
0005483759.tif 000011
【図１１】
0005483759.tif 000012
【図１２】
0005483759.tif 000013